(57)【特許請求の範囲】
【請求項１】
公衆回線網を経由したインターネットサーバとのデータ通信機能及び前記公衆回線網を経由した通話機能を有する通信装置であって、
前記公衆回線網を経由した通話のための回線接続および／または回線切断を指示する指示手段と、
前記公衆回線網を経由して前記インターネットサーバ内のデータを閲覧するための閲覧手段と、
前記閲覧手段が動作している状態で前記指示手段からの入力を検知した場合に、前記閲覧手段を終了することなく、公衆回線網を経由したインターネットサーバとのデータ通信のための回線切断を行う回線制御手段とを有し、
前記指示手段は、前記公衆回線を経由した通話のために回線を接続するためのオンフックスイッチであることを特徴とする通信装置。
【請求項２】
通話のための回線接続状態と、前記閲覧手段が動作中であって前記公衆回線網を経由して前記インターネットサーバとの通信のために接続された状態とを、それぞれ異なる表示形式で表示して識別可能に通知する通知手段を更に有することを特徴とする請求項１に記載の通信装置。
【請求項３】
前記閲覧手段が動作中であって前記公衆回線網を経由して前記インターネットサーバと接続された状態と前記閲覧手段が動作中であって前記公衆回線網を経由して前記インターネットサーバとの回線が切断された状態とを識別可能に通知する通知手段を更に有することを特徴とする請求項１に記載の通信装置。
【請求項４】
前記公衆回線網を経由した通話のための回線接続状態と、前記閲覧手段が動作中であって前記公衆回線網を経由して前記インターネットサーバとの回線が接続された状態と、前記閲覧手段が動作中であって前記公衆回線網を経由して前記インターネットサーバとの回線が切断された状態とを、それぞれ異なる表示形式で表示して識別可能に通知する通知手段を更に有することを特徴とする請求項１に記載の通信装置。
【発明の詳細な説明】
【０００１】
【発明の属する技術分野】
本発明は、通信装置に関するものである。
【０００２】
【従来の技術】
従来から、公衆回線網を介したサーバとのデータ通信機能及び通話機能を有する通信装置が知られている。
【０００３】
例えば、近年では、インターネットの普及に伴い、ＷＡＮ（Wide Area Network）に接続されたＷＷＷ（World Wide Web）サーバに掲載されるホームページにアクセス可能な、電話機のような簡単な構成の通信装置も登場してきた。
【０００４】
【発明が解決しようとする課題】
しかし、上記のような従来の通信装置では、サーバ内のデータを閲覧している状態で、簡単に回線のみを切断することはできず、ユーザの使い勝手が悪かった。
【０００５】
本発明は、このような従来技術の課題を解決するためになされたもので、その目的とするところは、ユーザの使い勝手の良い通信装置、その制御方法、制御プログラム並びに記憶媒体を提供することにある。
【０００６】
【課題を解決するための手段】
上記目的を達成するため、本発明に係る装置は、
公衆回線網を経由したインターネットサーバとのデータ通信機能及び前記公衆回線網を経由した通話機能を有する通信装置であって、
前記公衆回線網を経由した通話のための回線接続および／または回線切断を指示する指示手段と、
前記公衆回線網を経由して前記インターネットサーバ内のデータを閲覧するための閲覧手段と、
前記閲覧手段が動作している状態で前記指示手段からの入力を検知した場合に、前記閲覧手段を終了することなく、公衆回線網を経由したインターネットサーバとのデータ通信のための回線切断を行う回線制御手段とを有し、
前記指示手段は、前記公衆回線を経由した通話のために回線を接続するためのオンフックスイッチであることを特徴とする。
【００１２】
通話のための回線接続状態と、前記閲覧手段が動作中であって前記公衆回線網を経由して前記インターネットサーバとの通信のために接続された状態とを、異なる表示形式により識別可能に通知する通知手段を更に有することを特徴とする。
【００１３】
前記閲覧手段が動作中であって前記公衆回線網を経由して前記インターネットサーバと接続された状態と前記閲覧手段が動作中であって前記公衆回線網を経由して前記インターネットサーバとの回線が切断された状態とを、異なる表示形式により識別可能に通知する通知手段を更に有することを特徴とする。
【００１４】
前記公衆回線網を経由した通話のための回線接続状態と、前記閲覧手段が動作中であって前記公衆回線網を経由して前記インターネットサーバとの回線が接続された状態と、前記閲覧手段が動作中であって前記公衆回線網を経由して前記インターネットサーバとの回線が切断された状態とを、それぞれ異なる表示形式で表示して識別可能に通知する通知手段を更に有することを特徴とする。
【００１８】
【発明の実施の形態】
以下に、図面を参照して、この発明の好適な実施の形態を例示的に詳しく説明する。ただし、この実施の形態に記載されている構成要素の相対配置、表示画面等は、特に特定的な記載がない限りは、この発明の範囲をそれらのみに限定する趣旨のものではない。
【００１９】
（一実施の形態）
＜概要＞
本発明に係る通信装置の一実施形態として、公衆回線網（ＰＳＴＮ網やＩＳＤＮ網など）を介した通話機能及びインターネットアクセス機能を有する電話機について説明する。こうした電話機としてはＬモード（登録商標）対応の電話機が含まれるが、インターネットへアクセスするために通信事業者やインターネット・アクセス・プロバイダが提供するインターネット・サーバに接続しようとすると、ダイヤルアップ接続の場合には、インターネット接続の利用料金は通話する場合と同様に回線の接続時間によって課金されてしまう。従って、インターネットの利用者は目的の情報が掲載されたページを閲覧したり、電子メールの閲覧や作成を行ったりする場合、常にインターネット・サーバと接続したままの状態（以下、オンライン状態と称す）で閲覧を行うと通信料金がかさんでしまう。
【００２０】
そこで、複数ページに渡る情報量の多いコンテンツを閲覧する場合などは、ホームページ内の情報を通信装置内の一時退避メモリ（以下、キャッシュメモリと称す）に順次取り込み、それらの情報のうち利用者が閲覧したいページだけを、インターネット・サーバとの回線を切断した状態（以下、オフライン状態と称す）にしてから、改めて表示して閲覧したり、その内容を印刷したりする、といった利用方法が有効である。
【００２１】
つまり、インターネットを利用してホームページなどの閲覧を行っている時に、ウェブ・ブラウザを起動させたまま、簡単に回線だけを切断したオフライン状態にすることが非常に効果的だが、インターネット切断指示に用いるキー等を別個に設けるのでは、装置の生産性を低下させ、キーが増えることによってユーザの使い勝手も低下してしまう。
【００２２】
そこで本実施形態に係るウェブ・ブラウザ機能付き電話機は、受話器を置いたままで発呼するためのいわゆるオンフックキーに、オフラインモードへの移行機能を更に持たせたものである。
【００２３】
＜構成＞
図１は実施形態のウェブ・ブラウザ機能付き電話機の内部構成を示すブロック図である。
【００２４】
図１において１００は電話機全体を制御するための中央演算処理部（ＣＰＵ）であり、１０１はプログラム、およびデータを記憶するＲＯＭ、１０２は個人データ、電話帳などのバックアップ用のデータを格納する不揮発性ＲＡＭ、１０３はＣＰＵワークデータ、ＨＴＭＬデータ、表示用データ、記録用データなどを記憶する記憶部（ＤＲＡＭ）である。１０４はインターネット・サーバから受信したＨＴＭＬデータを解析し、画像、テキストを切り分けたり、切り分けたデータを表示用および記録用データへ変換したりするＨＴＭＬ変換部である。１０５は受信したデータや装置の状態などを表示する表示部、１０６はテンキーなどから構成される操作部、１０７は受信した画像やテキストを記録するプリンタなどの記録部、１０８は公衆回線１０９を接続しインターネット・サーバと通信するためのモデムや、公衆回線からの着呼を検出する検出器や発呼用のダイヤル送出器などを含む通信部である。ここで各処理部はシステムバス１１０で接続される。１１０は、受話器であり、公衆回線を通じた通話を行うためのマイク及びスピーカが内蔵されている。
【００２５】
図２は、表示部１０５の構成図であり、表示部１０５は、表示データを記憶するＶＲＡＭ２００とＶＲＡＭ２００の内容をドットマトリクスＬＣＤ２０２に出力させるためのＬＣＤドライバ２０１から構成される。
【００２６】
図３は記憶部１０３の構成図であり、記憶部１０３（ＤＲＡＭ）はそれぞれＣＰＵ１００のワークとして使われるＣＰＵワークエリア、受信したＨＴＭＬデータを記憶するＨＴＭＬデータ格納エリア、表示データを記憶する表示用データ格納エリア、記録データを記憶する記録用データ格納エリア、およびその他のデータを記憶するその他のデータ格納エリアから構成される。
【００２７】
ここで、図１から図３を用いて、ＨＴＭＬデータの受信、表示動作を説明する。まず、回線接続操作により回線を接続状態とする。
【００２８】
この状態で、回線１０９および通信部１０８を通じてＨＴＭＬデータを受信し、この受信したＨＴＭＬデータは記憶部１０３のＨＴＭＬデータ格納エリアへ記憶される。
【００２９】
次に、記憶部１０３のＨＴＭＬデータ格納エリアに記憶されたＨＴＭＬデータは、ＨＴＭＬ変換部１０４に渡され、表示データに変換される。そして、表示データは、記憶部１０３の表示用データエリアに記憶される。さらに、この表示用データエリアに記憶されたデータの中で、表示が必要なデータが、表示部１０５のＶＲＡＭ２００ヘ送られ、ＬＣＤドライバ２０１でドライブされ、ドットマトリクスＬＣＤ２０２で表示される。
【００３０】
このようにＨＴＭＬデータの受信、表示することにより、インターネット・サーバを介して受信したウェブ上のホームページ情報を閲覧することができる。
【００３１】
図４は本装置の操作部１０６の外観を示す図である。ＬＣＤ２０２、電話番号などを入力するためのテンキー２２２、マルチな入力に用いるファンクションキー２２５、および設定入力キーであるセットキー２２３と、表示部のカーソル移動などに用いる左右上下矢印キー２２４、ホームページの閲覧や電子メール機能を起動させるブラウザキー２２０、受話器１１０を置いたままで発呼、通話を行ったり、通話中の回線切断を行うオンフックキー２２１、ファクシミリ通信や記録など様々な動作を強制的に終了させるのに用いるストップキー２２６から構成される。
【００３２】
またオンフックキー２２１はキーの内部中央にＬＥＤ（不図示）が取り付けられており、通話用の回線接続中にはＬＥＤが点灯し、オンラインブラウジング中（ブラウザが起動されており、かつ回線接続状態）ではＬＥＤが点滅し、それ以外の場合、例えばオフラインブラウジングモード（回線切断状態）ではＬＥＤが消灯する。
【００３３】
以下、図５のウェブ・ブラウザ制御フローを用いて詳細な説明を行う。
【００３４】
図５（ａ）は、ブラウザ起動処理を示すフローチャートである。待機状態において図４で示したブラウザキー２２０の入力があるかどうか判断し（Ｓ５０１）、ブラウザキーの入力があるとブラウザ・アプリケーションを起動する（Ｓ５０２）。次に、ステップＳ５０３でサーバへの接続要求があるか否かを判定する。ここで利用者が所望のホームページを閲覧しようとしてインターネット・サーバを介してコンテンツを掲載しているＷＷＷサーバにアクセスさせるような操作を行うと、ブラウザ・アプリケーションからサーバへの接続要求ありと判断し、ダイヤルアップのために回線接続し（Ｓ５０４）、オンラインモードへ移行する。またサーバへの接続要求がない場合はオフラインモードへ移行する。
【００３５】
図５（ｂ）はオンラインモードでの処理を示すフローチャートである。オンラインモードに移行するとオンフックキー２２１の中央部に取り付けられたＬＥＤが点滅する（Ｓ５１１）。オンフックキーを操作した通常の通話中にはＬＥＤを点灯させるため、インターネットを利用するために回線を接続しているのか、通話のために回線を接続しているのかが利用者にわかるようになっている。
【００３６】
次に、ステップＳ５１２でストップキーの入力があるか否かを判断する。利用者がブラウザ自体を終了させたい場合、ストップキー２２６を押下すれば、Ｓ５１２からステップＳ５１５に進み、ブラウザを終了し、更にステップＳ５１６でＬＥＤの消灯を行い、ステップＳ５１７で回線切断して待機に戻る。
【００３７】
ステップＳ５１２でストップキー入力が無かった場合は、ステップＳ５１３に進みオンフックキー２２１の入力があるか否か判断する。オンフックキー２２１の入力が有れば、ステップＳ５１４に進み、回線切断してオフラインモードへ移行する。
【００３８】
図５（ｃ）は、オフラインモードでの処理を示すフローチャートである。オフラインモードに移行すると、まず、オンフックキー２２１の中央部に取り付けられたＬＥＤが消灯する（Ｓ５２１）。次に、ステップＳ５２２において、ストップキーの入力を検知し、ストップキー２２６の入力があったと判断した場合、ブラウザを終了し（Ｓ５２５）、待機に戻る。
【００３９】
ステップＳ５２２でストップキー入力が無いと判断した場合には、ステップＳ５２３に進み、利用者が所望のホームページを閲覧しようとしてページの更新やページのリンク先へのジャンプ等、インターネット・サーバを介してコンテンツを掲載しているＷＷＷサーバにアクセスさせるような操作を行ったか否かを判定する。ステップＳ５２３でＷｅｂコンテンツを有するＷＷＷサーバにアクセスするような操作があったと判断されると、ステップＳ５２３でブラウザ・アプリケーションからサーバへの接続要求ありと判断し、ステップＳ５２４で回線接続して、オンラインモードへ移行する。
【００４０】
このように、本実施形態では、オンフックキーを用いて、ブラウザ動作時の回線切断／再接続を行うので、スイッチの数を増やすことなく、ユーザの使い勝手を向上させることができる。
【００４１】
また、オンフックキーが点灯しているか点滅しているかをみるだけで、回線がどのような状態にあるのか簡単に把握することができる。なお、本実施形態では、点灯、点滅、消灯の区別により、ブラウザ及び回線の状態をユーザに通知しているが、本発明はこれに限定されるものではなく、光の色や形によってその状態をユーザに通知しても良い。
【００４２】
（第２実施形態）
次に図６を用いて本発明の通信装置の第２実施形態としての電話機について説明する。上記第１実施形態では、オフラインモードで、サーバへの接続要求があると判定した場合にのみ回線の接続を行っているが、本実施形態では、オフラインモードで更にオンフックキーの入力を検知して、オンフックキーの入力があった場合には、サーバへの接続要求がないと判断した場合であっても回線接続を行うものである。
【００４３】
即ち、上記第１実施形態とは、オフラインモードでの動作のみ相違し、他の構成及び動作は同様であるため、同じ構成には同じ符号を付してここではその説明を省略する。
【００４４】
図６は、本実施形態に係る電話機のオフラインモード時の処理をしめすフローチャートである。
【００４５】
オフラインモード時、まず、オンフックキー２２１の中央部に取り付けられたＬＥＤが消灯する（Ｓ６０１）。次に、ステップＳ６０２でストップキー２２６の入力があるか否か判定する。ストップキー２２６の入力があったと判断した場合、ステップＳ６０５に進みブラウザを終了し、待機に戻る。
【００４６】
ステップＳ６０２においてストップキー入力が無かった場合は、ステップＳ６０３に進み、利用者が所望のホームページを閲覧しようとしてページの更新やページのリンク先へのジャンプ等、インターネット・サーバを介してコンテンツを掲載しているＷＷＷサーバにアクセスさせるような操作をブラウザに対して行うと、ブラウザからサーバへの接続要求ありと判断して、ステップＳ６０４に進み、回線接続して、オンラインモードへ移行する。
【００４７】
ステップＳ６０３で、特にブラウザからの接続要求がない場合には、更に、ステップＳ６０６に進んで、オンフックキー２２１の入力の有無を判断する。ここでオンフックキーの入力があったと判断した場合、ステップＳ６０４に進み、アクセスポイントに対し回線を接続する。
【００４８】
これにより、オンラインモード及びオフラインモードの切換えをオンフックキーだけで行うことが可能となる。
【００４９】
（他の実施形態）
なお、上記実施形態では、電話機について説明したが、本発明に係る通信装置は、これに限定されるものではなく、もちろんファクシミリ通信機能を有したファクシミリ装置などであってもよい。
【００５０】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５２】
本発明を上記記憶媒体に適用する場合、その記憶媒体には、図５または図６に示すフローチャートに対応するプログラムコードが格納されることになる。
【００５３】
【発明の効果】
本発明によれば、ユーザの使い勝手の良い通信装置、その制御方法、制御プログラム並びに記憶媒体を提供することができる。
【図面の簡単な説明】
【図１】本発明の第１実施形態に係る電話機の内部構成を示すブロック図である。
【図２】本発明の第１実施形態に係る電話機の表示部の構成を示したブロック図である。
【図３】本発明の第１実施形態に係る電話機の記憶部の構成を示したブロック図である。
【図４】本発明の第１実施形態に係る電話機の操作部の構成を示したブロック図である。
【図５】本発明の第１実施形態に係る電話機における、ブラウザ動作に関する処理を説明するためのフローチャートである。
【図６】本発明の第２実施形態に係る電話機における、ブラウザ動作に関する処理を説明するためのフローチャートである。
【図１】
0003745263.tif 000002
【図２】
0003745263.tif 000003
【図３】
0003745263.tif 000004
【図４】
0003745263.tif 000005
【図５】
0003745263.tif 000006
【図６】
0003745263.tif 000007